(57)【要約】【課題】  前面パネルを構成する透明パネルにウエルドあるいはヒケといった成形時の外観不良を発生させないように構造の単純化をはかるようにした空気調和機を提供する。【解決手段】  本体１の前面に前面パネル５を装着した空気調和機において、前記前面パネル５は、不透明パネル２と、透明パネル３と、支軸部とからなり、前記透明パネル３は前記不透明パネル２に本体１側から取り付けられ、前記支軸部は前記不透明パネル２を本体１に回動自在に軸支するよう前記不透明パネル２に設けられたことを特徴としている。【選択図】  図２
2007225253.tif 000002
【特許請求の範囲】
【請求項１】
本体の前面に前面パネルを装着した空気調和機において、
前記前面パネルは、不透明パネルと、透明パネルと、支軸部とからなり、
前記透明パネルは前記不透明パネルに本体側から取り付けられ、前記支軸部は前記不透明パネルを本体に回動自在に軸支するよう前記不透明パネルに設けられたことを特徴とする空気調和機。
【請求項２】
請求項１に記載の空気調和機において、
前記透明パネルを前記不透明パネルに取り付ける取付部が、前記不透明パネルの裏面に設けられてなることを特徴とする空気調和機。
【請求項３】
請求項１に記載の空気調和機において、
前記支軸部が別部材からなることを特徴とする空気調和機。
【請求項４】
請求項３に記載の空気調和機において、
前記透明パネルを、前記不透明パネルと前記支軸部とで挟んで保持してなることを特徴とする空気調和機。
【請求項５】
請求項１に記載の空気調和機において、
前記透明パネルは、前記不透明パネルの少なくとも三側端から突出するように配置されてなることを特徴とする空気調和機。
【請求項６】
請求項１に記載の空気調和機において、
前記支軸部は、前記透明パネルの内面側に配置してなることを特徴とする空気調和機。
【発明の詳細な説明】
【技術分野】
【０００１】
本発明は、空気調和機に係わり、より詳細には、前面パネルを不透明パネルと、透明パネルと、支軸部とで構成し、前記透明パネルは前記不透明パネルに本体側から取り付けられ、前記支軸部は前記不透明パネルを本体に回動自在に軸支するよう同不透明パネルに設けられるようにした構造に関する。
【背景技術】
【０００２】
従来の空気調和機は、本体への取付部などによって室内機の前面パネルなどの意匠性が損なわれるおそれを未然に取り除くものとして、本体、前面パネル、および取付部を備えたもので、前面パネルは、透明であり、本体の前部に配置されるようになっているものであって、また、この前面パネルには、その裏側の面に意匠層が設けられるようになっているものであって、取付部は、前面パネルを本体の前部に取り付けるためのものであり、そして、この取付部は、意匠層上に設けられるようにしたものが開示されていた（例えば、特許文献１参照。）。
【０００３】
前記不透明パネルの前部に色彩が付された意匠層が設けられ、この意匠層の前部に前記透明パネルが設けられることによって、同透明パネルを透過して視認する前記意匠層の意匠性や質感を高めることができるようになっている。
【０００４】
【特許文献１】特開２００５−７７０９１号公報
【発明の開示】
【発明が解決しようとする課題】
【０００５】
しかしながら、本体に前記前面パネルを取り付けるための取付部を、前記透明パネルの裏面側に設ける場合、粘着や接着や溶着などによって設ける必要があり、また、ねじ締めによる場合にはねじ締部を設ける必要があり、その場合、加工工程での不備などにより強度が不充分になってしまうおそれがあった。
【０００６】
また、構造上の制約を受けるとともに、溶着部やねじ締部を形成することによるウエルドあるいはヒケといった成形上の外観不良が発生して意匠性を損ねてしまうおそれがあった。
【０００７】
そこで、本発明は上述した課題を解決するためになされたものであって、その目的は、前面パネルを構成する透明パネルにウエルドあるいはヒケといった成形時の外観不良を発生させないように構造の単純化をはかるようにした空気調和機を提供することにある。
【課題を解決するための手段】
【０００８】
上述した目的を達成するため、本発明は以下に示す特徴を備えている。
本体の前面に前面パネルを装着した空気調和機において、
前記前面パネルは、不透明パネルと、透明パネルと、支軸部とからなり、
前記透明パネルは前記不透明パネルに本体側から取り付けられ、前記支軸部は前記不透明パネルを本体に回動自在に軸支するよう前記不透明パネルに設けられたことを特徴としている。
【０００９】
また、前記透明パネルを前記不透明パネルに取り付ける取付部が、前記不透明パネルの裏面に設けられてなることを特徴としている。
【００１０】
また、前記支軸部が別部材からなることを特徴としている。
【００１１】
また、前記透明パネルを、前記不透明パネルと前記支軸部とで挟んで保持してなることを特徴としている。
【００１２】
また、前記透明パネルは、前記不透明パネルの少なくとも三側端から突出するように配置されてなることを特徴としている。
【００１３】
また、前記支軸部は、前記透明パネルの内面側に配置してなることを特徴としている。
【発明の効果】
【００１４】
本発明によれば、上記課題を解決できるようになって、前記前面パネルを本体に回動自在に軸支するための支軸部が個別の部材によって形成され、前記不透明パネルに前記透明パネルといっしょに組み付けられ固定される構成にしたことで、前記透明パネルが前記支軸部を一体成形していない構造になり、前記透明パネルは、ウエルドあるいはヒケといった成形時の外観不良を発生させないように構造の単純化をはかることができる。
【００１５】
また、前記透明パネルを前記不透明パネルに取り付ける取付部が、前記不透明パネルの裏面に設けられたことで、前記取付部が目立たないようにして意匠性を損ねない効果を奏することになる。
【００１６】
また、前記支軸部が別部材からなる構成にしたことで構造の単純化をはかれるようになり、前記透明パネルを、前記不透明パネルと前記支軸部とで挟んで固定することで正確に固定できるようになる。
【００１７】
また、前記透明パネルは前記不透明パネルの少なくとも三側端から突出するように配置し、前記支軸部は前記透明パネルの内面側に配置したことで意匠性を向上させることができるようになる。
【発明を実施するための最良の形態】
【００１８】
以下、本発明の実施の形態を、添付図面に基づいた実施例として詳細に説明する。
図１は本発明による空気調和機の正面図であり、図２は本発明による空気調和機の斜視図であり、図３は前面パネルを取り外した空気調和機本体の斜視図であり、図４は前面パネルの斜視図であり、図５は前面パネルを取り外した空気調和機本体の要部斜視図であり、図６は支軸部を固定した前面パネルの要部説明図で、（Ａ）は背面側の斜視図、（Ｂ）は（Ａ）で示すＡ部の斜視図、（Ｃ）は（Ａ）で示すＢ部の斜視図であり、図７は前面パネルの要部説明図で、（Ａ）は背面側の斜視図、（Ｂ）は不透明パネルの斜視図であり、図８は透明パネルの要部斜視図であり、図９は前面パネルの要部斜視図であり、図１０は前面パネルの断面図である。
【００１９】
本発明による空気調和機は、図に示すように、吸込口ａと吹出口ｂとを結ぶ空気通路に図示しない熱交換器および送風ファンを備えてなる本体１の前面に、前面パネル５が着脱可能に装着されており、前記吸込口ａから吸い込まれた空気は、前記熱交換器に接触することで熱交換されたのち、前記送風ファンにより前記吹出口ｂから吹き出されることによって被空調室の空気調和が行なわれるようになっている。
【００２０】
前記前面パネル５は、背景技術として上述したように、不透明パネルの前部に、色彩が付された意匠層を介した透明パネルが組み付けられるように構成することにより、意匠性を高め高級感を印象づけた空気調和機を市場に提供することによって、ユーザの購買意欲を助長させる効果を奏するものが出現している。
【００２１】
本発明においては、前記不透明パネル２の裏面に、色彩を裏面に付した前記透明パネル３を組み付け、前記不透明パネル２の三側端から前記透明パネル３を突出させるように配置することで、前記前面パネル５の意匠性を高め高級感を印象づけるようにしている。
【００２２】
そのため、本体１に回動可能に軸支するための支軸部を前記透明パネル３に一体成形しないようにすることで構造の単純化をはかり、同透明パネル３にウエルドあるいはヒケといった成形時の外観不良を発生させないようにしている。
【００２３】
前記不透明パネル２に色彩を裏面に付した前記透明パネル３を組み付ける際、前記不透明パネル２に、同不透明パネル２に設けられた保持爪６ａと前記透明パネル３に設けられた保持孔６ｂとからなる複数の保持部６によって前記透明パネル３が保持されるようにした構成になっており、前記保持部６をなす保持爪６ａで保持孔６ｂを保持することで簡便に、且つ正確に組み付けられることになる。
【００２４】
そして、前記前面パネル５は、前記不透明パネル２に色彩を裏面に付した前記透明パネル３が組み付けられるとともに、本体１の前面に回動可能に、且つ着脱可能に軸支するための前記支軸部４が別部材によって形成されて、前記透明パネル３を挟み込んで前記不透明パネル２に保持されてなることを特徴にしている。
【００２５】
すなわち、本体１の前面に回動可能に、且つ着脱可能に装着される前記前面パネル５は、不透明な合成樹脂製で成形された不透明パネル２と、透明な合成樹脂製で成形された透明パネル３と、支軸４ａを備えて前記不透明パネル２の取付部２ａにネジ締め固定される合成樹脂製の前記支軸部４とで構成されている。
【００２６】
前記支軸部４は、例えば潤滑性を有する合成樹脂製で成形することで、前記支軸４ａが本体１の前面に設けられた軸受け４ｂに回動可能に、且つ着脱可能に軸支される際、円滑に回動できるように軸支され、また、容易に着脱できるように軸支されることになる。
【００２７】
前記透明パネル３が前記支軸部４を一体成形していない構造にしたことで、前記透明パネル３は、前記支軸部４を前記不透明パネル２の取付部２ａにネジ締め固定する際、前記透明パネル３もいっしょに固定できることから、前記不透明パネル２に対する前記透明パネル３の組み付けを強固に、且つ正確に行なえることになる。
【００２８】
また、前記支軸部４のような厚肉部を有していない均等な厚さによって金型成形できるようになることから、前記透明パネル３は、所謂ウエルドあるいはヒケといった成形時の外観不良を発生させないように構造の単純化をはかることができる。
【００２９】
これにより、前記透明パネル３は、ウエルドあるいはヒケといった成形時の外観不良を発生させないように構造の単純化をはかることができて、前記支軸部４の固定と、前記透明パネル３の前記不透明パネル２への組み付け固定とを兼ねることで正確に固定できるようにした空気調和機となる。
【００３０】
前記透明パネル３の裏面に色彩が付されてなる意匠層は、同透明パネル３の透明な表面側を透過して視認できる構成であることから、意匠性や質感を高めて空気調和機としての高級感を印象づけることができるという効果を奏することになり、また、例えば空気調和機本体の設置時などに、前記意匠層を前記透明パネル３の表面側から誤って損傷させてしまうことがないように保護できることになる。
【００３１】
前記透明パネル３には、運転情報を発光表示する発光素子７に対応する発光窓９と、図示しないリモコンからの運転信号を受信する受光素子８に対応する受光窓１０とが設けられている。
【００３２】
色彩を裏面に付した前記透明パネル３は、上述したように前記不透明パネル２の下部、両側部および上部の両側部にわたる三側端から突出するように配置されている。
【００３３】
これによって、色調が異なる前記不透明パネル２は、正面視では、色彩を裏面に付した前記透明パネル３が三側端から突出したデザインになっていることから、同透明パネル３で一旦区切られた印象を受けて上下寸法が小さく見えるようになる。
【００３４】
また同様に、側面視では、本体の前部が色調の異なる前記不透明パネル２で一旦区切られた印象を受けるデザインになっていることから、奥行き（前後）寸法が小さく見えるようになる。
【００３５】
なお、前記透明パネル３の周縁部は、図１０に示すようにな傾斜角を有した形状に形成して、前記周縁部は鋭角状の先端３ａに行くにしたがって肉厚が薄くなるようにした構成にしてもよい。これにより、前記意匠層は、前記周縁部に対応する色彩が濃くなって縁取りをしたように視認できることにより意匠性に特徴をもたせることができる。
【００３６】
また、空気調和機本体１は被空調室の壁面上位部に設置されることから、前記発光窓９および前記受光窓１０は、少なくともその下縁が下方に向けた傾斜角を有して穿設された構成になっており、そのため同様に、前記発光窓９および前記受光窓１０の下縁に対応する前記意匠層の色彩に変化をもたせて、前記透明パネル３に縁取りをしたように視認できることになり意匠性を特徴づける効果を奏する。
【００３７】
前記意匠層は、前記透明パネル３の裏面に塗装加工が行なわれることによって構成されるようにしてもよく、また、前記透明パネル３の裏面に印刷加工が行なわれることによって構成されるようにしてもよい。
【００３８】
以上説明したように、本発明においては、前記意匠層が前記透明パネル３の透明な表面側を透過して視認されることで、意匠性や質感を高めて空気調和機としての高級感を印象づけることができるようになる。
【００３９】
また、例えば空気調和機本体の設置時などに、前記意匠層を前記透明パネル３の表面側から誤って損傷させてしまうことがないように保護できることになる。
【００４０】
また、前記前面パネル５の一端を回動自在に軸支するための前記支軸部４や、前記前面パネル５の閉塞時にその他端を係脱可能に係止するための前記係止爪１１および前記係止孔１２が、前記意匠層でカバー（目隠し）されることになって意匠性を損ねるということがない。
【図面の簡単な説明】
【００４１】
【図１】本発明による空気調和機の正面図である。
【図２】本発明による空気調和機の斜視図である。
【図３】前面パネルを取り外した空気調和機本体の斜視図である。
【図４】本発明による空気調和機の前面パネルの斜視図である。
【図５】前面パネルを取り外した空気調和機本体の要部斜視図である。
【図６】支軸部を固定した前面パネルの要部説明図で、（Ａ）は背面側の斜視図であり、（Ｂ）は（Ａ）で示すＡ部の斜視図であり、（Ｃ）は（Ａ）で示すＢ部の斜視図である。
【図７】前面パネルの要部説明図で、（Ａ）は背面側の斜視図であり、（Ｂ）は不透明パネルの斜視図である。
【図８】本発明による空気調和機の透明パネルの要部斜視図である。
【図９】本発明による空気調和機の前面パネルの要部斜視図である。
【図１０】本発明による空気調和機の前面パネルの断面図である。
【符号の説明】
【００４２】
１  空気調和機本体
２  不透明パネル
２ａ  取付部
３  透明パネル
４  支軸部
４ａ  支軸
４ｂ  軸受け
５  前面パネル
６  保持部
６ａ  保持爪
６ｂ  保持孔
７  発光素子
８  受光素子
９  発光窓
１０  受光窓
１１  係止爪
１２  係止孔
ａ  吸込口
ｂ  吹出口
【図１】
2007225253.tif 000003
【図２】
2007225253.tif 000004
【図３】
2007225253.tif 000005
【図４】
2007225253.tif 000006
【図５】
2007225253.tif 000007
【図６】
2007225253.tif 000008
【図７】
2007225253.tif 000009
【図８】
2007225253.tif 000010
【図９】
2007225253.tif 000011
【図１０】
2007225253.tif 000012